(57)【要約】      （修正有）【課題】皺や浮きを発生させることなく粘着出来るとともに、綺麗に剥がし取ることが可能な抗菌・抗ウイルス性シートを提供する。【解決手段】抗菌・抗ウイルス性フィルム１０は、抗菌及び抗ウイルス作用を有する金属粉末を含有する。接着層１１は、表面が抗菌・抗ウイルス性フィルムの裏面に設けられている。ゴム性シート１２は、表面が接着層の裏面に設けられ、発泡性を有する。粘着層１３は、表面がゴム性シートの裏面に設けられ、接着層の接着力よりも弱い粘着力を示す再剥離性を有し、アクリル系の粘着層である。又、本考案の第二の実施形態に係る抗菌・抗ウイルス性シート１は、抗菌・抗ウイルス性フィルムと、第一の接着層と、蓄光性シートと、第二の接着層と、ゴム性シートと、粘着層と、を備える。【選択図】図１
0003234006.tif 000002
【実用新案登録請求の範囲】
【請求項１】
抗菌及び抗ウイルス作用を有する金属粉末を含有する抗菌・抗ウイルス性フィルムと、
表面が前記抗菌・抗ウイルス性フィルムの裏面に設けられた接着層と、
表面が前記接着層の裏面に設けられ、発泡性を有するゴム性シートと、
表面が前記ゴム性シートの裏面に設けられ、前記接着層の接着力よりも弱い粘着力を示す再剥離性を有する、アクリル系の粘着層と、
を備える抗菌・抗ウイルス性シート。
【請求項２】
抗菌及び抗ウイルス作用を有する金属粉末を含有する、透明性の抗菌・抗ウイルス性フィルムと、
透明性を有し、表面が前記抗菌・抗ウイルス性シートの裏面に設けられた第一の接着層と、
表面が前記第一の接着層の裏面に設けられ、蓄光粉末を含有する蓄光性シートと、
表面が前記蓄光性シートの裏面に設けられた第二の接着層と、
表面が前記第二の接着層の裏面に設けられ、発泡性を有するゴム性シートと、
表面が前記ゴム性シートの裏面に設けられ、前記第一の接着層及び前記第二の接着層の粘着力よりも弱い粘着力を示す再剥離性を有する、アクリル系の粘着層と、
を備える抗菌・抗ウイルス性シート。
【考案の詳細な説明】
【技術分野】
【０００１】
本考案は、抗菌・抗ウイルス性シートに関する。
【背景技術】
【０００２】
従来より、ドアノブにカバーやシートを取り付けて、ユーザーの利便性を高める技術が開発されている。
【０００３】
例えば、特開平９−３２４３６６号公報（特許文献１）には、少なくとも口径が伸縮自在とされた可撓性筒状体に、使用者に快適感を与える快適機能性材料が付着された伸縮性カバーが開示されている。この快適機能性材料には、帯電防止性材料、抗菌性材料、消臭性材料、または芳香性材料などが含まれる。これにより、ドアノブ、マイクロフォン、電話機などの物品に簡単に着脱することができ、不特定多数の人々に触れられる物品であっても、これらを常に衛生的かつ快適に維持することができるとしている。
【０００４】
又、特開２００７−１３７０４４号公報（特許文献２）には、蓄光剤粉末が含有される樹脂成形品よりなり、ドア面のドアノブの周囲に装着されて用いられるドアノブ標示発光体が開示されている。これにより、ドアノブ標示発光体の存在により、暗所でもドアノブの位置が分かるようになる。ここで、ドアノブそのものに装着する形態では、装着することでドアノブの握り形態が大きくなって持ちにくくなり、又、手を触れることで汚れて輝度が低下する恐れが生じるが、このドアノブ標示発光体は、ドアノブの周囲に取り付けることで、それら問題が解消されるとしている。
【０００５】
又、実用新案登録第３１７８８２４号公報（特許文献３）には、ドアノブに被せられるカバーであって、筒状に形成されており、内側に滑り止め部が設けられており、この滑り止め部は、ゴム質材からなる多数の突起部がラバープリントにより形成されてなるドアノブ用カバーが開示されている。これにより、ドアノブに被せた状態において、脱落し難く、かつ、滑り止め部が破損し難いドアノブ用カバーを提供できるとしている。
【０００６】
又、特開２０１６−５５５３３号公報（特許文献４）には、ポリマー組成物を用いた成形物が、金属製物品の表面を覆うカバー材であって、該カバー材に引張応力を負荷した状態で、金属製物品と密着させるカバー材の装着方法が開示されている。ここで、カバー材が、ドアノブカバーであって、取手式、レバー式、握り玉式及び握り棒式のいずれかの形状を有する。又、ポリマー組成物は、帯電防止剤、抗菌剤、発光剤からなり、必要に応じて架橋剤を含む。これにより、冬場の乾燥した状態で、指先などが金属製物品に触れる場合に生じる激痛を回避でき、しかも不特定多数が触れる場合に懸念される衛生面にも抗菌性を発揮すること、また、カバー材は、リムーバブルであることからアルコールや水洗いが可能となり常に清潔さを維持できるとしている。また、リバーシブルであることから効果的な使用ができ、さらに、発光性を有することから、夜間等の暗闇中でも、容易に金属製物品の位置を感知でき、安全上においてもその威力を発揮できるとしている。また、カバー材は、接着層や接着剤等の使用なしに密着・装着できることから、工程簡略という経済面、安全面からも産業界にもたらされる効果はきわめて大きいとしている。
【先行技術文献】
【特許文献】
【０００７】
【特許文献１】特開平９−３２４３６６号公報
【特許文献２】特開２００７−１３７０４４号公報
【特許文献３】実用新案登録第３１７８８２４号公報
【特許文献４】特開２０１６−５５５３３号公報
【考案の概要】
【考案が解決しようとする課題】
【０００８】
近年、感染症が流行し易くなっている。例えば、２０１９年末には、新型コロナウイルス（ＣＯＶＩＤ−１９）の感染が確認され、それ以来、世界的に大流行の状態となっている。特に、新型コロナウイルスは、感染力が強いことから、ヒトが頻繁に接触する部位には、定期的な除菌、洗浄が行われいるが、そのような作業は、手間や時間が掛かるという課題がある。
【０００９】
そこで、細菌やウイルス等の病原体に対して不活化能を示す抗菌・抗ウイルス性フィルムが登場してきており、ヒトが頻繁に接触する部位、例えば、ドアノブ等に抗菌・抗ウイルス性フィルムを設置することで、感染症対策が行われている。
【００１０】
しかしながら、例えば、握り玉式のドアノブでは、湾曲した曲面を有しているため、抗菌・抗ウイルス性フィルムをそのまま接着すると、フィルムに皺が入ったり、浮きが多発したりするという課題がある。ここで、皺や浮きが生じたフィルムを介してドアノブを持つと、持った感触が悪くなるという課題もある。又、接着した後のフィルムを剥がす場合、剥がし難いという課題もある。
【００１１】
特許文献１に記載の技術では、ドアノブ等に被せるカバーであるため、ユーザーがカバーの上からドアノブを持つ場合、カバーがドアノブの表面で滑って、ユーザーがドアノブを適切に回転させたり操作したりすることが出来ない場合がある。
【００１２】
又、特許文献２に記載の技術では、暗室でドアノブの周囲を明るくすることは出来るものの、抗菌・抗ウイルス性フィルムとの関係が無く、抗菌・抗ウイルスに関しては不十分という課題がある。
【００１３】
特許文献３に記載の技術では、滑り止め部の存在により、カバーがドアノブから滑り難くしているものの、カバーを完全に滑り止めすることが出来ないという課題がある。
【００１４】
特許文献４に記載の技術では、ドアノブカバーをドアノブ等の金属製物品と密着させる際に、ドアノブカバーに皺や浮きが発生する可能性がある。
【００１５】
そこで、本考案は、上述の課題を解決するためになされたものであり、皺や浮きを発生させることなく粘着出来るとともに、綺麗に剥がし取ることが可能な抗菌・抗ウイルス性シートを提供することを目的とする。
【課題を解決するための手段】
【００１６】
本考案に係る抗菌・抗ウイルス性シートは、抗菌・抗ウイルス性フィルムと、接着層と、ゴム性シートと、粘着層と、を備える。抗菌・抗ウイルス性フィルムは、抗菌及び抗ウイルス作用を有する金属粉末を含有する。接着層は、表面が前記抗菌・抗ウイルス性フィルムの裏面に設けられている。ゴム性シートは、表面が前記接着層の裏面に設けられ、発泡性を有する。粘着層は、表面が前記ゴム性シートの裏面に設けられ、前記接着層の接着力よりも弱い粘着力を示す再剥離性を有し、アクリル系の粘着層である。
【００１７】
又、本考案に係る抗菌・抗ウイルス性シートは、抗菌・抗ウイルス性フィルムと、第一の接着層と、蓄光性シートと、第二の接着層と、ゴム性シートと、粘着層と、を備える。抗菌・抗ウイルス性フィルムは、抗菌及び抗ウイルス作用を有する金属粉末を含有し、透明性のフィルムである。第一の接着層は、透明性を有し、表面が前記抗菌・抗ウイルス性フィルムの裏面に設けられる。蓄光性シートは、表面が前記第一の接着層の裏面に設けられ、蓄光粉末を含有する。第二の接着層は、表面が前記蓄光性シートの裏面に設けられる。ゴム性シートは、表面が前記第二の接着層の裏面に設けられ、発泡性を有する。粘着層は、表面が前記ゴム性シートの裏面に設けられ、前記第一の接着層及び前記第二の接着層の接着力よりも弱い粘着力を示す再剥離性を有し、アクリル系の粘着層である。
【考案の効果】
【００１８】
本考案によれば、皺や浮きを発生させることなく粘着出来るとともに、綺麗に剥がし取ることが可能となる。
【図面の簡単な説明】
【００１９】
【図１】本考案の第一の実施形態に係る抗菌・抗ウイルス性シートの断面図と平面図とである。
【図２】本考案の第一の実施形態に係る抗菌・抗ウイルス性シートが握り玉式のドアノブに付着された場合の斜視写真（図２Ａ）と、本考案の第一の実施形態に係る抗菌・抗ウイルス性シートが取手式のドアノブに付着された場合の斜視図（図２Ｂ）と、である。
【図３】比較例１の抗菌・抗ウイルス性シートの断面図と握り玉式のドアノブに付着された場合の斜視写真（図３Ａ）と、実施例１の抗菌・抗ウイルス性シートの断面図と握り玉式のドアノブに付着された場合の斜視写真（図３Ｂ）と、である。
【図４】本考案の第二の実施形態に係る抗菌・抗ウイルス性シートの断面図と平面図とである。
【図５】本考案の第二の実施形態に係る抗菌・抗ウイルス性シートが握り玉式のドアノブに付着された場合の明室での斜視写真（図５Ａ）と、本考案の第二の実施形態に係る抗菌・抗ウイルス性シートが握り玉式のドアノブに付着された場合の暗室での斜視写真（図５Ａ）と、である。
【図６】比較例２の抗菌・抗ウイルス性シートの断面図と握り玉式のドアノブに付着された場合の斜視写真（図６Ａ）と、実施例２の抗菌・抗ウイルス性シートの断面図と握り玉式のドアノブに付着された場合の斜視写真（図６Ｂ）と、である。
【考案を実施するための形態】
【００２０】
以下に、添付図面を参照して、本考案の実施形態について説明し、本考案の理解に供する。尚、以下の実施形態は、本考案を具体化した一例であって、本考案の技術的範囲を限定する性格のものではない。
＜本考案の第一の実施形態＞
【００２１】
本考案の第一の実施形態に係る抗菌・抗ウイルス性シート１は、図１に示すように、抗菌・抗ウイルス性フィルム１０と、接着層１１と、ゴム性シート１２と、粘着層１３と、を備える。
【００２２】
抗菌・抗ウイルス性フィルム１０は、抗菌及び抗ウイルス作用を有する金属粉末を含有する。接着層１１は、表面が抗菌・抗ウイルス性フィルム１０の裏面に設けられている。ゴム性シート１２は、表面が接着層１１の裏面に設けられ、発泡性を有する。粘着層１３は、表面がゴム性シート１２の裏面に設けられ、接着層１１の接着力よりも弱い粘着力を示す再剥離性を有し、アクリル系の粘着層である。
【００２３】
ここで、本明細書では、接着とは、物と物とがぴったりとくっつくことを意味し、物と物とがくっついて剥がれにくいことを示す。一方、粘着とは、物にねばりつくことを意味し、物にねばりついて一時的に固定されるものの、剥がすことが可能であることを示す。
【００２４】
これにより、皺や浮きを発生させることなく粘着出来るとともに、綺麗に剥がし取ることが可能となる。
【００２５】
即ち、本考案の第一の実施形態に係る抗菌・抗ウイルス性シート１は、図２Ａに示すように、ヒトが頻繁に接触する部位、例えば、握り玉式のドアノブ２０に付着され、ドアノブ２０へ抗菌・抗ウイルス性が付与される。これにより、不特定多数がドアノブ２０に接触したとしても、抗菌・抗ウイルス性による感染症対策を行うことが可能となる。
【００２６】
ここで、抗菌・抗ウイルス性シート１の粘着層１３が、例えば、曲面の部材である握り玉式のドアノブ２０に付着されると、通常であれば、抗菌・抗ウイルス性シート１をドアノブ２０の曲面に沿って貼り付けた場合の抗菌・抗ウイルス性シート１の曲面とドアノブ２０の曲面とが合わずに、抗菌・抗ウイルス性シート１に皺や浮きが発生する。
【００２７】
そこで、本考案では、抗菌・抗ウイルス性フィルム１０と粘着層１３との間に発泡性のゴム性シート１２を設けることで、抗菌・抗ウイルス性シート１の曲面とドアノブ２０の曲面とがずれたとしても、発泡性のゴム性シート１２が緩衝材として機能し、抗菌・抗ウイルス性シート１の曲面とドアノブの曲面とのずれを緩和し、抗菌・抗ウイルス性フィルム１０への皺や浮きの発生を防止する。特に、ゴム性シート１２では、発泡性の気泡を有していることから、これらの気泡がクリアランスとして機能して、抗菌・抗ウイルス性シート１の曲面とドアノブの曲面とのずれを適切に緩和することが出来る。これにより、抗菌・抗ウイルス性シート１を握り玉式のドアノブ２０のような曲面の部材に綺麗に貼り付けることが可能となる。
【００２８】
又、発泡性のゴム性シート１２を設けることで、ユーザーが、抗菌・抗ウイルス性シート１を介して握り玉式のドアノブ２０を把持すると、金属製のドアノブ２０を直接接触することが無いため、持った感触やフィット感が良好で、触り心地を高めるという効果もある。
【００２９】
一方、本考案では、粘着層１３を、接着層１１の接着力よりも弱い粘着力を示す再剥離性を有し、アクリル系の粘着層を採用している。ここで、アクリル系粘着層（粘着剤）は、シリコーン系粘着層やウレタン系粘着層と比較して、被着体に対して良好な粘着力を有するとともに、追従性が良好で、再剥離性にも優れている。このような粘着層１３を採用することで、仮に、抗菌・抗ウイルス性シート１をドアノブ２０から剥がすと、接着層１１が保持する抗菌・抗ウイルス性フィルム１０とゴム性シート１２との材料剥離よりも、粘着層１３が保持するゴム性シート１２と曲面（被着体）との界面剥離が優先的に生じる。そのため、抗菌・抗ウイルス性シート１の粘着層１３を曲面（被着体）から綺麗に剥がし取ることが可能となる。
【００３０】
尚、本考案の第一の実施形態に係る抗菌・抗ウイルス性シート１は、握り玉式のドアノブ２０に限らず、図２Ｂに示すように、取手式、レバー式、握り棒式など、どのようなドアノブ２０にも適用することが可能である。
【００３１】
ここで、本考案の第一の実施形態に係る抗菌・抗ウイルス性シート１の形状に特に限定は無いが、例えば、図２Ａに示すように、握り玉式のドアノブでは、略円錐台の形状であり、曲面の部分を有するため、図１に示すように、抗菌・抗ウイルス性シート１の形状は、平面視で、握り玉式のドアノブの略円錐台の斜面に対応する円弧形状（弓形状）に構成すると好ましい。これにより、抗菌・抗ウイルス性シート１の円弧形状が握り玉式のドアノブの略円錐台の斜面にフィットするため、抗菌・抗ウイルス性シート１をドアノブの略円錐台の斜面にズレることなく貼り付けることが可能となり、抗菌・抗ウイルス性シート１の皺や浮きの発生を防止する。ここで、抗菌・抗ウイルス性シート１の形状が円弧形状の場合、例えば、角部を円弧状に切断することで、角部に丸みを帯びるように構成して、ドアノブに貼り付けた際に追従性を向上させても良い。
【００３２】
一方、図２Ｂに示すように、取手式のドアノブでは、略長方形状であり、曲面の部分が無いため、図１に示すように、抗菌・抗ウイルス性シート１の形状は、平面視で、長楕円形状や長方形状に構成すると好ましい。これにより、抗菌・抗ウイルス性シート１の長楕円形状や長方形状が取手式のドアノブの略長方形状の平面にフィットするため、上述と同様に、抗菌・抗ウイルス性シート１を綺麗に貼り付けることが可能となる。このように、抗菌・抗ウイルス性シート１の形状は、貼り付け対象の形状に応じて適宜設計変更することが可能であり、その他に、円形、楕円形、三角形、四角形、多角形などを挙げることが出来る。尚、抗菌・抗ウイルス性シート１の角部は、どのような形状であっても、円弧状に切断することで、角部に丸みを帯びるように構成することで、上述と同様に、追従性を向上させることが可能となる。
【００３３】
又、抗菌・抗ウイルス性フィルム１０の構成に特に限定は無いが、例えば、金属粉末を合成樹脂に配合して練り込んだ構成を挙げることが出来る。抗菌及び抗ウイルス作用を有する金属粉末であれば、特に限定は無いが、例えば、銅粉末、銀粉末、亜鉛粉末、これらを混合した粉末、酸化チタン粉末（例えば、アパタイト被覆二酸化チタン）、酸化亜鉛粉末、これらを混合した粉末を挙げることが出来る。これらの金属粉末は、細菌及びウイルス等の病原体に対し不活化能を示すことが知られている。又、金属粉末の平均一次粒径に特に限定は無いが、例えば、０．０５μｍ〜１００μｍの範囲内であると好ましい。合成樹脂に特に限定は無いが、例えば、ポリエチレン、ポリプロピレン、ポリスチレン、ポリブチレン、ポリ酢酸ビニル、ポリウレタン、ポリ乳酸、ポリエステル、ポリアセタール、ポリエチレンテレフタラート、ポリカーボネート、ポリ塩化ビニル、アクリロニトリルブタジエンスチレン樹脂、ポリアミド（ナイロン）、セルロース系樹脂、アクリル樹脂、エポキシ樹脂などを挙げることが出来る。更に、このようなフィルムは、抗菌性及び抗ウイルス性が半永続的に持続する場合がある。又、抗菌・抗ウイルス性フィルム１０の厚みに特に限定は無いが、例えば、０．０５ｍｍ〜１．００ｍｍの範囲内であると好ましい。更に、抗菌・抗ウイルス性フィルム１０は、透明でも不透明でも構わない。
【００３４】
又、接着層１１の構成に特に限定は無いが、例えば、アクリル系接着層、シリコーン系接着層、ウレタン系接着層などを挙げることが出来る。又、接着層１１の厚みに特に限定は無いが、例えば、０．０１ｍｍ〜０．５０ｍｍの範囲内であると好ましい。
【００３５】
又、ゴム性シート１２の構成に特に限定は無いが、例えば、ＥＰＭ（エチレン−プロピレンゴム）、ＥＰＤＭ（エチレンプロピレンゴム）、オレフィン系熱可塑性エラストマー（ＴＰＯ）、ＮＢＲ（ニトリゴム）、天然ゴム、ポリ塩化ビニル、ポリウレタン、ポリスチレン等を挙げることが出来る。ゴム性シート１２の発泡性に特に限定は無いが、例えば、連続気泡でも独立気泡でも構わない。又、ゴム性シート１２の厚みに特に限定は無いが、例えば、１．００ｍｍ〜６．００ｍｍの範囲内であると好ましい。
【００３６】
又、粘着層１３の粘着力に特に限定は無いが、例えば、ＪＩＳ  Ｚ０２３７：２０００の準拠により、１０．０Ｎ／２０ｍｍ〜２０．０Ｎ／２０ｍｍの範囲内であると好ましい。この場合、粘着層１３の粘着力は、接着層１１の接着力よりも弱く設定されることから、接着層１１の接着力は、ＪＩＳ  Ｚ０２３７：２０００の準拠により、２０．０Ｎ／２０ｍｍを超えることになる。又、粘着層１３の厚みに特に限定は無いが、例えば、０．０５ｍｍ〜０．５０ｍｍの範囲内であると好ましい。
【００３７】
又、抗菌・抗ウイルス性シート１が貼り付けられる被着体の種類に特に限定は無いが、例えば、ヒトが頻繁に接触する部品のドアノブの他に、階段などに設けられる手摺り、エレベーターのボタン、握り棒、パイプ、ハンドル、取っ手、つまみ、引手、スイッチなどを挙げることが出来る。
【００３８】
さて、本考案の第一の実施形態に係る抗菌・抗ウイルス性シート１の作用効果について説明する。図３Ａに示すように、比較例１として、抗菌・抗ウイルス性フィルム１０（厚み０．１５ｍｍ）の裏面にアクリル系の粘着層１３（厚み０．１０ｍｍ）を直接設けた抗菌・抗ウイルス性シート２を用意した。一方、図３Ｂに示すように、実施例１として、抗菌・抗ウイルス性フィルム１０（厚み０．１５ｍｍ）と粘着層１３（厚み０．１０ｍｍ）との間にゴム性シート１２（厚み３．００ｍｍ）を設けた抗菌・抗ウイルス性シート１を用意した。抗菌・抗ウイルス性フィルム１０とゴム性シート１２との間には接着層１１（厚み０．０５ｍｍ）が設けられる。
【００３９】
比較例１の抗菌・抗ウイルス性シート２を、握り玉式のドアノブ２０の略円錐台の斜面（曲面の部分）に貼り付けると、図３Ａに示すように、比較例１の抗菌・抗ウイルス性シート２の曲面とドアノブ２０の曲面とがずれてしまい、皺や浮きが多発していることが理解される。
【００４０】
一方、実施例１の抗菌・抗ウイルス性シート１を、握り玉式のドアノブ２０の略円錐台の斜面に貼り付けると、図３Ｂに示すように、実施例１の抗菌・抗ウイルス性フィルム１の曲面とドアノブ２０の曲面とのずれがゴム性シート１２により緩和され、皺や浮きの発生を防止し、実施例１の抗菌・抗ウイルス性シート１を握り玉式のドアノブ２０の略円錐台の斜面に綺麗に貼り付けられることが理解される。又、実施例１の抗菌・抗ウイルス性シート１をドアノブ２０から剥がすと、ゴム性シート１２と曲面との界面剥離が生じ、綺麗に剥がすことが出来た。
【００４１】
このように、本考案の第一の実施形態に係る抗菌・抗ウイルス性シート１は、皺や浮きを発生させることなく粘着出来るとともに、綺麗に剥がし取ることが出来た。
＜本考案の第二の実施形態＞
【００４２】
本考案の第二の実施形態に係る抗菌・抗ウイルス性シート１は、第一の実施形態に係る抗菌・抗ウイルス性シート１と比較して、透明性を有する抗菌・抗ウイルス性フィルムを採用するとともに、蓄光性シートを設けた点で異なる。
【００４３】
即ち、本考案の第二の実施形態に係る抗菌・抗ウイルス性シート１は、抗菌・抗ウイルス性フィルム１０と、第一の接着層１１と、蓄光性シート１４と、第二の接着層１５と、ゴム性シート１２と、粘着層１３と、を備える。
【００４４】
抗菌・抗ウイルス性フィルム１０は、抗菌及び抗ウイルス作用を有する金属粉末を含有し、透明性のフィルムである。第一の接着層１１は、透明性を有し、表面が抗菌・抗ウイルス性フィルム１０の裏面に設けられる。蓄光性シート１４は、表面が第一の接着層１１の裏面に設けられ、蓄光粉末を含有する。
【００４５】
第二の接着層１５は、表面が蓄光性シート１５の裏面に設けられる。ゴム性シート１２は、表面が第二の接着層１５の裏面に設けられ、発泡性を有する。粘着層１３は、表面がゴム性シート１２の裏面に設けられ、第一の接着層１１及び第二の接着層１５の接着力よりも弱い粘着力を示す再剥離性を有し、アクリル系の粘着層である。
【００４６】
これにより、図５Ａに示すように、皺や浮きを発生させることなく、抗菌・抗ウイルス性シート１を握り玉式のドアノブ２０の略円錐台の斜面に綺麗に貼り付けることが可能となる。又、粘着層１３により、抗菌・抗ウイルス性シート１を綺麗に剥がし取ることが可能となる。
【００４７】
更に、図５Ｂに示すように、蓄光性シート１４を設けることで、ドアノブ２０の略円錐台の斜面を明るく光らせることが可能となり、停電時や消灯時であっても、ユーザーは、蓄光性シート１４によりドアノブ２０の位置を簡単に知ることが可能となる。このような構成は、感染症対策に加えて、万が一の避難誘導にも効果がある。
【００４８】
ここで、本考案の第二の実施形態に係る抗菌・抗ウイルス性シート１の形状に特に限定は無いが、例えば、図４に示すように、第一の実施形態に係る抗菌・抗ウイルス性シート１の形状と同様に、円弧形状（弓形状）、長楕円形状、長方形状、円形、楕円形、三角形、四角形、多角形などを挙げることが出来る。
【００４９】
又、蓄光性シート１４の構成に特に限定は無いが、例えば、蓄光粉末を合成樹脂に配合して練り込んだ構成を挙げることが出来る。蓄光粉末は、光を照射すると、その光を蓄えて、光の照射を停止すると、蓄えられた光を発する粉末を意味し、その構成に特に限定は無いが、例えば、硫化亜鉛系蓄光粉末、カルシウムアルミネート系蓄光粉末、ストロンチウムアルミネート系蓄光粉末などを挙げることが出来る。又、蓄光粉末の平均一次粒径に特に限定は無いが、例えば、０．０５μｍ〜１００μｍの範囲内であると好ましい。ここで、蓄光性シート１４の発光輝度に特に限定は無いが、例えば、５ｍｃｄ／ｍ２以上であると好ましい。発光輝度は、例えば、市販の輝度計を用いて測定される。合成樹脂に特に限定は無いが、例えば、抗菌・抗ウイルス性フィルム１０に使用される合成樹脂を挙げることが出来る。又、蓄光性シート１４の厚みに特に限定は無いが、例えば、０．１０ｍｍ〜１．００ｍｍの範囲内であると好ましい。更に、蓄光性シート１４は、透明でも不透明でも構わない。
【００５０】
又、第一の接着層１１と第二の接着層１５との構成に特に限定は無いが、例えば、第一の実施形態に係る抗菌・抗ウイルス性シート１の接着層１１と同様に、アクリル系接着層、シリコーン系接着層、ウレタン系接着層などを挙げることが出来る。
【００５１】
又、粘着層１３の粘着力に特に限定は無いが、例えば、第一の実施形態に係る抗菌・抗ウイルス性シート１の粘着層１３と同様に、第一の接着層１１と第二の接着層１５との接着力よりも弱く設定される。
【００５２】
さて、本考案の第二の実施形態に係る抗菌・抗ウイルス性シート１の作用効果について説明する。図６Ａに示すように、比較例２として、抗菌・抗ウイルス性フィルム１０（厚み０．１５ｍｍ）の裏面に第一の接着層１１（厚み０．０５ｍｍ）を介して蓄光性シート１４（厚み０．５０ｍｍ）を設け、その蓄光性シート１４の裏面にアクリル系の粘着層１３（厚み０．１０ｍｍ）を設けた抗菌・抗ウイルス性シート３を用意した。一方、図６Ｂに示すように、実施例２として、抗菌・抗ウイルス性フィルム１０（厚み０．１５ｍｍ）の裏面に第一の接着層１１（厚み０．０５ｍｍ）を介して蓄光性シート１４（厚み０．５０ｍｍ）を設け、その蓄光性シート１４の裏面に第二の接着層１５（厚み０．０５ｍｍ）を介してゴム性シート１２（厚み３．００ｍｍ）を設け、そのゴム性シート１２の裏面にアクリル系の粘着層１３（厚み０．１０ｍｍ）を設けた抗菌・抗ウイルス性シート１を用意した。
【００５３】
比較例２の抗菌・抗ウイルス性シート３を、握り玉式のドアノブ２０の略円錐台の斜面（曲面の部分）に貼り付けると、図６Ａに示すように、比較例１と同様に、比較例２の抗菌・抗ウイルス性シート３の曲面とドアノブ２０の曲面とがずれてしまい、皺や浮きが多発していることが理解される。
【００５４】
一方、実施例２の抗菌・抗ウイルス性シート１を、握り玉式のドアノブ２０の略円錐台の斜面に貼り付けると、図６Ｂに示すように、実施例１と同様に、実施例２の抗菌・抗ウイルス性フィルム１の曲面とドアノブ２０の曲面とのずれがゴム性シート１２により緩和され、皺や浮きの発生を防止し、実施例１の抗菌・抗ウイルス性シート１を握り玉式のドアノブ２０の略円錐台の斜面に綺麗に貼り付けられることが理解される。又、実施例２の抗菌・抗ウイルス性シート１では、蓄光性シート１４を設けていることで、全体がうっすらと発光していることが理解される。暗室になることで、蓄光性シート１４が明確に発光し、握り玉式のドアノブ２０の位置が明確になる。更に、実施例２の抗菌・抗ウイルス性シート１をドアノブ２０から剥がすと、実施例１と同様に、ゴム性シート１２と曲面との界面剥離が生じ、綺麗に剥がすことが出来た。
【００５５】
このように、本考案の第二の実施形態に係る抗菌・抗ウイルス性シート１は、皺や浮きを発生させることなく粘着出来るとともに、綺麗に剥がし取ることが出来た。
【００５６】
尚、本考案に係る抗菌・抗ウイルス性シート１の構成に、更に、他の機能や他のデザインを追加しても構わない。
【産業上の利用可能性】
【００５７】
以上のように、本考案に係る抗菌・抗ウイルス性シートは、平面を有する部品や部材はもちろん、曲面を有する部品や部材であって、ヒトが頻繁に接触する部品や部材に適用される抗菌・抗ウイルス性シートとして有用であり、皺や浮きを発生させることなく粘着出来るとともに、綺麗に剥がし取ることが可能な抗菌・抗ウイルス性シートとして有効である。
【符号の説明】
【００５８】
１  抗菌・抗ウイルス性シート
１０  抗菌・抗ウイルス性フィルム
１１  接着層
１２  ゴム性シート
１３  粘着層
【図１】
0003234006.tif 000003
【図２】
0003234006.tif 000004
【図３】
0003234006.tif 000005
【図４】
0003234006.tif 000006
【図５】
0003234006.tif 000007
【図６】
0003234006.tif 000008